(57)【特許請求の範囲】
【請求項１】
プロジェクター本体に固定されるプロジェクター側ブラケットと、
直接あるいは天井から垂下されたプロジェクター吊り下げ固定用部材を介して天井に固定される天井側ブラケットとを備え、
前記プロジェクター側ブラケットと前記天井側ブラケットとが固定されるプロジェクターであって、
前記プロジェクター側ブラケットは、前記プロジェクター本体の底面に設けられた複数のねじ孔にそれぞれねじ状部材を挿入することによって前記プロジェクター本体に固定され、
前記複数のねじ孔の少なくとも一部は前記プロジェクター本体の脚を挿入する脚挿入孔であり、
前記脚挿入孔に挿入される前記ねじ状部材はプロジェクター本体の脚であり、
前記プロジェクター本体の脚を前記プロジェクター側ブラケットを挟んで前記脚挿入孔にねじ締結することを特徴とするプロジェクター。
【発明の詳細な説明】
【０００１】
【発明の属する技術分野】
本発明は、画像を投射レンズを介して投射画面上に拡大投射するプロジェクターを天井から吊り下げた形態に保持するプロジェクター天吊り装置に関する。
【０００２】
【従来の技術】
画像を投射レンズを介して投射画面上に拡大投射するプロジェクターは、従来より広く知られているが、机や床に設置して使用することを前提とした構造で、天井から吊り下げた形態で使用できるようには構成されていない。
【０００３】
【発明が解決しようとする課題】
しかし、近年では、天井から吊り下げた形態で使用したい場合がある。そして、このようなニーズに応えるためには、例えば予め天井に固定したブラケットに、プロジェクターに固定一体化したブラケットをねじ等の取付強度の高い締結手段で固定することで、プロジェクターを天吊り状態にするという構成が考えられる。ところが、前記したプロジェクターの天吊り構造では、重量のあるプロジェクターを下から持ち上げて天井に向けて支え、しかも両ブラケットを位置合わせした状態に保持したままねじ締結する必要がある。このため、作業者は無理な姿勢を強いられ、取り付け作業に時間がかかる上に、非常に危険でもある。
【０００４】
本発明は、前記従来技術の問題点に鑑みなされたもので、その目的は、簡単かつ安全にプロジェクターを天吊りできるプロジェクター天吊り装置を提供することにある。
【０００５】
【課題を解決するための手段，作用および効果】
本発明に係るプロジェクター天吊り装置においては、プロジェクターに固定されるプロジェクター側ブラケットと、直接あるいは天井から垂下されたプロジェクター吊り下げ固定用部材を介して天井に固定される天井側ブラケットと、を備え、前記プロジェクター側ブラケットと前記天井側ブラケットとが固定されるプロジェクター天吊り装置であって、前記プロジェクター側ブラケットと前記天井側ブラケット間に、両ブラケットを仮固定するための仮止め機構を設けるようにした。
【０００６】
プロジェクター側ブラケットを固定したプロジェクターを下方から持ち上げて、天井に固定した天井側ブラケットに接近させ、仮止め機構によりプロジェクター側ブラケットと天井側ブラケットを仮止め（仮固定）すると、プロジェクターの重量がこの仮止め部（仮止め機構）で支持される。即ち、下方からプロジェクターを支えていた作業者は、プロジェクター側ブラケットが仮止め機構により天井側ブラケットに仮止め（仮固定）されると、プロジェクターの全重量を支えなくてもよく、両ブラケットの位置合わせや両ブラケット間の締結といった作業をスムーズに遂行できる。
【０００７】
また、プロジェクター側ブラケットが天井側ブラケットに仮止め（仮固定）された状態では、たとえ作業者の手からプロジェクターが滑り落ちたとしても、プロジェクターの全重量が仮止め部（仮止め機構）で支持されるので、プロジェクターが落下する危険はなく、それだけ安全である。
【０００８】
このように、本発明によれば、簡単かつ安全にプロジェクターを天吊り固定することができる。
【０００９】
また、本発明において、前記仮止め機構を、前記プロジェクター側ブラケットと前記天井側ブラケットのうち一方のブラケットに設けられたフックと、他方のブラケットに設けられたフック掛止機構とによって構成することが望ましい。
【００１０】
フックをフック掛止機構に掛止させると、両ブラケットが仮止め機構により仮止め（仮固定）された状態となるので、両ブラケットの仮止め（仮固定）は、容易である。
【００１１】
また、本発明のプロジェクター天吊り装置において、前記フックをＪスロットによって構成し、前記フック掛止機構を、前記他方のブラケットに固定された締結ねじによって構成することが望ましい。
【００１２】
フックを構成するＪスロットは、一方のブラケットに形成したＪ字状に延びる溝で、フックの形成されたブラケットの強度が大きく低下することがない。また、他のブラケットに固定されたフック掛止機構である締結ねじがＪスロットに沿ってスライドするように、プロジェクター（プロジェクター側ブラケット）を動かすことで、簡単にＪスロットと締結ねじを係合させることができる。
【００１３】
また、Ｊスロットと締結ねじが係合した形態では、両者の係合を保持する方向にプロジェクターの重量が作用するので、Ｊスロットと締結ねじ間の係合が勝手に外れるおそれもない。
【００１４】
またフック掛止機構を構成する締結ねじは、両ブラケットを固定するねじ締結手段としても機能し、両ブラケット間を確実に固定する。
【００１５】
また、本発明に係るプロジェクター天吊り装置において、前記固定手段は、前記プロジェクター側ブラケットと前記天井側ブラケットのうち一方のブラケットに設けられた長孔と、他方のブラケットに設けられたねじ孔と、前記長孔と前記ねじ孔とに挿入される締結ねじと、によって構成され、前記仮止め機構によって仮止めされた位置を支点として、前記長孔が前記締結ねじに沿ってスライド可能であることが望ましい。
【００１６】
プロジェクター側ブラケットと天井側ブラケットを固定するねじ締結固定手段（締結ねじとねじ孔）は、プロジェクターという大きな重量負荷に対して十分な取付強度をもつ。
【００１７】
また、仮止め機構により仮止めされた位置を支点として長孔がスライドするように、ブラケットを動かすことで、プロジェクターの姿勢を調整できる。従って、投射画面上の画像位置を簡単に適正位置に調整することができる。
【００１８】
また、本発明の液晶プロジェクター天吊り装置において、前記プロジェクター側ブラケットを、プロジェクターの底面に設けられた複数のねじ孔にそれぞれねじ状部材を挿入することによって固定することが望ましい。
【００１９】
プロジェクター側ブラケットをねじ締結するために用いられる、ねじ状部材挿入用のねじ孔が、プロジェクターの底面側に設けられているため、プロジェクターの上面側にはこのねじ孔が一切露呈せず、プロジェクターの外観体裁を損なうものではない。
【００２０】
また、本発明のプロジェクター天吊り装置において、前記複数のねじ孔の少なくとも一部は、プロジェクターの脚を挿入する脚挿入孔であり、前記脚挿入孔に挿入される前記ねじ状部材はプロジェクターの脚であることが望ましい。
【００２１】
プロジェクターの脚を挿入する脚挿入孔がプロジェクター側ブラケット固定用のねじ状部材の螺着部として機能するので、プロジェクター側ブラケット固定用ねじ状部材を配設するためのねじ孔をプロジェクターに別途設ける必要がない。
【００２２】
また、プロジェクターの脚をプロジェクター側ブラケット固定用ねじ状部材として用いるので、プロジェクター側ブラケットをプロジェクターに固定するために別途必要なねじ状部材の本数がそれだけ少なくてすむ。また、取り外したプロジェクターの脚を紛失しないように保管する必要もない。
【００２３】
また、本発明のプロジェクター天吊り装置において、前記プロジェクター側ブラケットを、プロジェクターに設けられた通気口と接しない形状とすることが望ましい。
【００２４】
プロジェクターを天吊り状態で使用する際、プロジェクター側ブラケットは、プロジェクターに設けられている通気口を介してのプロジェクター内外間の空気の流通を妨げない。
【００２５】
また、本発明のプロジェクター天吊り装置において、前記プロジェクター側ブラケットは、プロジェクターの本体に固定される第１ブラケットと、前記第１ブラケット及び前記天井側ブラケットに固定される第２ブラケットとを有することが望ましい。
【００２６】
プロジェクターとプロジェクター側第１ブラケット間、プロジェクター側第１のブラケットとプロジェクター側第２のブラケット間、およびプロジェクター側第２ブラケットと天井側ブラケット間のそれぞれに、プロジェクターの姿勢をそれぞれ異なった方向に傾動調整するための手段を設けることができる。
【００２７】
また、本発明のプロジェクター天吊り装置において、前記プロジェクター側第１ブラケットは、上方に突出する皿型の構造であり、上方に突出した枠体本体と、前記枠体本体から延出された水平延出部とを有し、前記水平延出部がプロジェクターに固定され、前記水平延出部には、プロジェクターとの間に空気流通路を確保する屈曲部を設けることが望ましい。
【００２８】
プロジェクター側第１ブラケットにおける皿型の枠体本体は、同ブラケットの剛性強度を高めるべく作用し、水平延出部は、同ブラケットのプロジェクターとの固定を容易にするべく作用する。
【００２９】
また、水平延出部に設けられた屈曲部は、プロジェクターに設けられた通気口に延びる空気流通路をプロジェクターと同ブラケット間に形成するべく作用する。
【００３０】
【発明の実施の形態】
次に、本発明の実施の形態を、実施例に基づいて説明する。
【００３１】
図１〜図１８は、本発明に係る液晶プロジェクター天吊り装置の一実施例を示すもので、図１は本発明の一実施例である天吊り装置を使って天吊り状態とされる液晶プロジェクターの斜視図、図２は同液晶プロジェクターを底面側から見た斜視図、図３は同液晶プロジェクターの脚部周辺の拡大断面図、図４は同脚部の斜視図、図５は同脚部の側面図、図６はプロジェクター底面に設けられたプロジェクター側ブラケット固定用締結ねじ配設用のねじ孔周辺の拡大断面図、図７はプロジェクター天吊り装置の分解斜視図、図８は天井側ブラケットを天井に直接取り付けた状態の断面図、図９はプロジェクター天吊り装置を使ってプロジェクターを天井に吊り下げる手順を説明する斜視図、図１０はプロジェクター側ブラケットを固定一体化したプロジェクターを持ち上げて、プロジェクター側ブラケットのＪスロットを天井に固定した天井側ブラケットの第２の締結ねじに係合させる様子を説明する図、図１１は投射画像の傾きを調整する方法を説明する図、図１２は投射画像の水平方向の位置を調整する方法を説明する図、図１３は投射画像の垂直方向の位置を調整する方法を説明する図、図１４（Ａ）はプロジェクター吊り下げ固定用パイプの斜視図、図１４（Ｂ）は天井側ブラケットをプロジェクター吊り下げ固定用パイプに取り付ける化粧キャップの縦断面図、図１５は同パイプの分解斜視図、図１６は同パイプに天井側ブラケットを取り付ける様子を説明する斜視図、図１７は投射画像の水平方向の位置を調整する他の方法を説明する図、図１８は投射画像の垂直方向の位置を調整する他の方法を説明する図である。
【００３２】
（１）液晶プロジェクターの外形
まず、本実施例に示す天吊り装置で吊り下げる液晶プロジェクターの外形を、図１および図２に基づいて説明する。
【００３３】
液晶プロジェクター１は、光源ランプから出射された光束を赤（Ｒ），緑（Ｇ），青（Ｂ）の三原色に分離し、これらの各色光束を液晶ライトバルブ（変調系）を通して画像情報に対応させて変調し、変調した後の各色の変調光束をダイクロイックプリズム（色合成光学系）により合成して、投射レンズを介して投射画面上に拡大表示する形式のもので、略直方体形状を有し、光源、画像形成ユニット、電源回路、駆動回路等が収納される外装ケース２と、この外装ケース２の正面に突出して設けられる投射レンズ６とを含んで形成される。
【００３４】
外装ケース２は、この投射レンズ６の略中央部分で上下に分割され、液晶プロジェクター１の上面部分を覆うアッパーケース３と、底面部分を覆うロアーケース４と、液晶プロジェクター１の背面部分を覆うリアケース５とから構成されている。
【００３５】
アッパーケース３は、長方形の上面壁３ａと、その後側を除く三方の辺からほぼ垂直に下方に延びている左右の側面壁３ｂ、３ｃと、前面壁３ｄとから構成されている。
【００３６】
アッパーケース３の上面壁３ａの前方側の左右の端には、図１に示すように、多数の連通孔２１Ｒ、２１Ｌが形成され、これらの連通孔２１Ｒ、２１Ｌに対応するプロジェクター内部の部分には、内蔵スピーカ（図示略）が設けられている。また、上面壁３ａの略中央部分には、プロジェクター１の画質、ピント等を調整するための操作スイッチ６０が設けられている。
【００３７】
ロアーケース４は、図２に示すように、長方形の底面壁４ａと、その後側を除く三方の辺からほぼ垂直に起立している左右の側面壁４ｂ、４ｃおよび前面壁４ｄから形成されている。
【００３８】
ロアーケース底面壁４ａには、内部に収納される光源ランプユニット（図示省略）を交換するためのランプ交換蓋２２と、プロジェクター１の内部を冷却するための通気口である空気取入口２４が形成されたエアーフィルタカバー２３が設けられている。
【００３９】
空気取入口２４に正対するプロジェクター１の内部には、略直方体形状のダイクロイックプリズム８の３つの側面に沿って３つの液晶ライトバルブ９が配置されている。液晶ライトバルブ９は、空気取入口２４の内側に設けられた吸気ファン２４ａの駆動によって空気取入口２４から取り込まれた空気によって冷却されるようになっている（図１０参照、但し、３個の液晶ライトバルブの１個所のみ図示）。
【００４０】
尚、ロアーケース底面壁４ａのランプ交換蓋２２の近傍には、空気取入口２５が形成されていて、空気取入口２４からのみならず、この空気取入口２５からもプロジェクター１の内部に冷却用空気が取り囲まれる。
【００４１】
また、ロアーケース底面壁４ａの後端の左右の角部には後部脚３１、３１が設けられ、ロアーケース底面壁４ａの前端の投射レンズ６に対応する位置には、揺動式高さ調整用の前部脚３０が設けられ、これらの脚３０，３１は底面壁４ａの下面側に突出している。
【００４２】
後部脚３１には、回転により突出量を調整することのできる調整機構が設けられ、これにより、投射画面の傾きの調整ができる。また、前部脚３０には、プロジェクター１の前面に設けられている摘み３５によって、前部脚３０の底壁４ａに対する起立状態を変えることのできる揺動式調整機構が設けられ、これにより、投射画面上の投射画像の位置を上下方向に調整できる。
【００４３】
また、ロアーケース底面壁４ａにおける空気取入口２４の近傍左右および後方位置には、対向する三角形状の立壁３８が突出形成されている。さらに左右の立壁３８の前方位置には、後述する天吊り装置７（を構成するプロジェクター側の第１ブラケット１００）をねじ締結するためのねじ孔１５３Ａの形成されたボス１５０が突設されている。これらの立壁３８やボス１５０は、プロジェクター１が床や机上に載置されて使用される場合に、ロアーケース底面壁４ａとプロジェクター載置面間に所定の隙を形成して、空気取入口２４への空気の流路を確保するスペーサ部材として機能するものである。
【００４４】
また、アッパーケース３の前面壁３ｄおよびロアーケース４の前面壁４ｄは、左右方向中央部分が僅かに前方に凸状態に湾曲しており、この部分には環状リム３２が周囲に形成された円形の開口３３が形成され、この開口３３から上述した投射レンズ６の前端側の部分が突出している。またアッパーケース３の前面壁３ｄには、プロジェクター１の内部を冷却するための空気取入口２５および吸気ファン２６が設けられている。
【００４５】
また、リアケース５の後面壁には、図示しないが、外部電力供給用のＡＣインレットや各種の入出力端子群が配置されるとともに、プロジェクター内部の空気を排出する排気口（図示せず）が設けられている。
【００４６】
また、プロジェクター１は、操作スイッチ６０と同様の操作ができるような機能が設けられたリモコン（図示省略）によって、遠隔操作することが可能となっており、リモコンから発せられる信号は、プロジェクターの前面側と背面側とにそれぞれ設けられた２つの受信部３６（背面側の受信部は図示せず）を介して受信され、プロジェクター１内部で処理される。
【００４７】
（２）プロジェクター側ブラケット固定用締結ねじを配設するためのねじ孔の構造
次に、プロジェクター１における取り外し可能な後部脚３１の詳細な構造と、天吊り装置７（であるプロジェクター側ブラケット１００）を締結するためにプロジェクター１に設けられたねじ孔１５３Ａの詳細な構造を、図３〜図６に基づいて説明する。
【００４８】
図３において、後部脚３１は、ロアーケース底面壁４ａに回動可能に取り付けられたフット部材５０と、このフット部材５０に取り付けられ被設置面に接触可能な滑止部材５１と、フット部材５０と滑止部材５１との間に介装されたスペーサ５２とを備えて構成されている。
【００４９】
また、この後部脚３１は、ロアーケース底面壁４ａに形成された脚挿入部４Ａに挿入されている。脚挿入部４Ａは、フット部材５０を保持するナット５３と、ナット５３を固定するための円筒部４Ｂおよび、これらを覆うキャップ５４によって構成されている。
【００５０】
ナット５３は、ロアーケース底面壁４ａに上下に所定長さにわたって形成された円筒部４Ｂの内周面に抜け止め状態で固定されており、ナット５３の内部にはねじ孔５３Ａが軸方向に貫通して形成されている。ナット５３は、ロアーケース底面壁４ａの内側に装着された絶縁性を有するプラスチック材料で形成されたキャップ５４で覆われている。このキャップ５４は、有底筒状部５４Ａと、この筒状部５４Ａの開口端縁に一体形成されたリング状部５４Ｂとから構成され、このリング状部５４Ｂはロアーケース底面壁４ａの内側から突出した係止突起４Ｃに係止されている。
【００５１】
フット部材５０は、ナット５３のねじ孔５３Ａに螺合される雄ねじ部５０Ａと、この雄ねじ部５０Ａの端部に固定された回動操作部５０Ｂとを備え、この回動操作部５０Ｂの回動操作に伴って、フット部材５０のロアーケース底面壁４ａからの突出量が変化する構成である。また、後部脚３１によって、プロジェクターの傾き角度や投射角度が十分に調整できるようにするために、フット部材５０の雄ねじ部５０Ａが所定の長さ寸法を有する。また、フット部材５０がロアーケース底面壁４ａ内に没入した状態では、雄ねじ部５０Ａの端部がキャップ５４と干渉しないようにするため、キャップ５４の筒状部５４Ａは、その軸方向寸法が所定長さとされる。
【００５２】
図３〜図５に示される通り、フット部材５０の回動操作部５０Ｂは、雄ねじ部５０Ａと一体形成されるとともにフランジ部５０Ｃが周面に形成された略円柱状の頭部５０Ｄと、フランジ部５０Ｃの周面に一体形成されたリング状の握り部５０Ｅとを備えて構成されている。雄ねじ部５０Ａ，フランジ部５０Ｃおよび頭部５０Ｄは、金属によって一体成形され、握り部５０ＥはＡＢＳ樹脂によってインサート成形されている。
【００５３】
滑止部材５１は、シリコンゴムなどの滑り止め効果の高い材質から形成され、その断面形状は、下面が緩やかな円弧状とされ、上部の係止部５１Ａが頭部５０Ｄを覆うように略コ字形とされている。
【００５４】
スペーサ５２は、フット部材５０と滑止部材５１とをフット部材５０がロアーケース底面壁４ａに対して回動する平面と平行な平面内で相対的に回動させるもので、頭部５０Ｄの端面部と滑止部材５１の係止部５１Ａとの間に介装される断面略コ字形の略リング状部材から形成される。このスペーサ５２は、少なくとも表面が滑りやすい材質、例えば、テフロンなどから形成されている。即ち、スペーサ５２は、その全てが滑りやすい材質からなる単体構造でもよく、表面に滑りやすい材質を使用し、その中間部にゴムなどの材質を使用したサンドイッチ構造でもよい。
【００５５】
また、フット部材５０の回動操作部５０Ｂのロアーケース底面壁４ａと対向する面には、４つの当接部５０Ｆが設けられている。従って、フット部材５０のロアーケース底面壁４ａ内側への没入量は、これらの当接部５０Ｆによって規制される。
【００５６】
なお、ロアーケース底面壁４ａの回動操作部５０Ｂに対応する領域には、皿型の平坦な窪み４Ｄが形成されて、回動操作部５０Ｂ側の当接部５０Ｆの当接面がロアーケース底面壁４ａの外側表面より内側となって、それだけフット部材５０のロアーケース底面壁４ａからの突出量を小さくできるようになっている。
【００５７】
また、当接部５０Ｆの表面は、滑らかな凸状の曲面であるため、フット部材５０を完全に没入させた状態から引き出す際に、回動操作部５０Ｂを回動させる負荷を軽減することが可能である。
【００５８】
このように構成された後脚部３１のねじ孔（フット部材５０が螺着されるナット５３のねじ孔）５３Ａは、後部脚３１であるフット部材５０を一旦取り外し、図３（Ｂ）に示すように、天吊り装置７（プロジェクター側第１ブラケット１００）固定用締結ねじを配設するためのねじ孔として利用できる。
【００５９】
また、図６には、ロアーケース底面壁４ａの空気取入口２４近傍に突設されているスペーサ部材であるボス１５０の詳細な構造が示されている。
【００６０】
ロアーケース底面壁４ａの内側には、円筒形状のボス１５０と同一外径の円筒部４Ｂが同軸状に形成され、円筒部４Ｂの内周面には、後部脚３１のねじ孔５３Ａと同一径のねじ孔１５３Ａの形成されたナット１５３が抜け止め状態に固定されている。その他は、前記した後部脚３１のナット周辺の構造と同一であり、同一の符号を付すことにより、その説明は省略する。
【００６１】
このボス１５０（ナット１５３）のねじ孔１５３Ａは、前記した後部脚３１のねじ孔５３Ａとともに、図６仮想線に示すように、天吊り装置７（プロジェクター側の第１ブラケット１００）固定用締結ねじを配設するためのねじ孔として機能する。
【００６２】
（３）プロジェクター天吊り装置の構成
次に、プロジェクター天吊り装置の構造を、図７〜図１８に基づいて詳細に説明する。
【００６３】
天吊り装置７は、図７に示されるように、天井に直接あるいは、天井から垂下されたプロジェクター吊り下げ固定用部材（後述する）を介して天井に固定される天井側ブラケット３００と、プロジェクター１に固定されるプロジェクター側第１ブラケット１００と、第１ブラケット１００にねじ締結により固定されるとともに、天井側ブラケット３００にねじ締結により固定されるプロジェクター側第２ブラケット２００とから主として構成される。符号１１８，１２８は、プロジェクター側第１ブラケット１００をプロジェクター１に固定する締結ねじ、符号２２９ａ，２２９ｂは、プロジェクター側第１ブラケット１００と第２ブラケット２００を固定する締結ねじ、符号３２６，３２８は、プロジェクター側第２ブラケット２００と天井側ブラケット３００を固定する締結ねじを示す。
【００６４】
天井側ブラケット３００は、矩形プレート状の上面壁３１０から左右の側面壁３２０Ｌ，３２０Ｒが下方に延出するとともに、前後の側面壁３４０Ｆ，３４０Ｂが上方内側に屈曲して延出する枠体構造である。
【００６５】
上面壁３１０には、断面ハット型の枠体３６０が溶接により一体化されて、枠体３６０の上端面３６２がブラケット３００の前後の側面壁３４０Ｆ，３４０Ｂと同一高さに形成されている。そして、枠体上端面３６２および上面壁３１０には、後述するプロジェクター吊り下げ固定用パイプ４００と係合できる円孔３６４，３１４が設けられており、枠体３６０の前面壁には、後述するパイプ回り止め用固定ねじ４０２配設用のねじ孔３６８の形成されたねじ挿通孔３６６が設けられている。ねじ孔３６８は、ねじ挿通孔３６６位置に溶接固定されたウェルドナット３６７によって構成されている。符号３４２は、ブラケット３００の前面壁３４０Ｆにおけるねじ孔３６８に対応する位置に設けられた、パイプ回り止め用固定ねじ４０２を配設するための円孔である。
【００６６】
プロジェクター吊り下げ固定部材を構成するプロジェクター吊り下げ固定用パイプ４００は、図１４（Ａ），１５に示されるように、天井側に固定されるフランジ４１２が上端部に一体に形成された内パイプ４１０と、内パイプ４１０よりもわずかに大きい口径で、内パイプ４１０の外側に配設される外パイプ４２０とから構成されている。内パイプ４１０および外パイプ４２０には、軸方向等ピッチに複数のボルト挿通孔４１４，４２４がそれぞれ対向して設けられ、位置合わせした両パイプのボルト挿通孔４１４，４２４にパイプ固定ボルト４３０を挿通し、ナット４３２を螺合させることで、両パイプ４１０，４２０が固定される。なお、内外パイプ４１０，４２０を軸方向に相対移動させて、パイプ固定ボルト４３０を配設するボルト挿通孔４１４，４２４の位置を変えることで、パイプ４００の長さを調節できる。
【００６７】
外パイプ４２０の下端部には、天井側ブラケット３００を担持する化粧キャップ４２６がボルト４２８とナット４２９によって固定され、この化粧キャップ４２６を用いて天井側ブラケット３００がパイプ４００に吊り下げられる。即ち、化粧キャップ４２６は、外パイプ４２０を挿通できる大きさの内径をもつ円筒部４２６ｂの上端にフランジ部４２６ａが形成された構造で、円筒部４２６ｂ下端側には、ボルト４２８の頭部４２８ａが係合できる切欠４２６ｂ１と、ボルト軸部４２８ｂが係合できる切欠４２６ｂ２（図１４（Ｂ）参照）とが対向して設けられている。
【００６８】
そして、まず、図１６（Ａ）に示すように、外パイプ４２０の下端部がブラケット３００の円孔３６４，３１４を貫通する状態にして、化粧キャップ４２６を外パイプ４２０の下端部に嵌める。次に、図１６（Ｂ）に示すように、パイプ下端部のボルト挿通孔４２４に固定ボルト４２８を挿通し、このボルト４２８の先端ねじ部にナット４２９を緩く螺合させる。次いで、ボルト頭部４２８ａを外パイプ４２０に当接させて、ナット４２９と外パイプ４２０間に円筒部４２６ｂの板厚相当の隙間を形成した状態で、図１６（Ｃ）に示すように、化粧キャップ４２６をパイプ４２０に沿って下降させ、ボルト頭部４２８ａ，ボルト軸部４２８ｂと切欠き４２６ｂ１，４２６ｂ２を係合させる。このとき、図１４（Ｂ）に示すように、円筒部４２６ｂの切り欠き４２６ｂ１，４２６ｂ２の付け根がボルト頭部４２８ａ，ボルト軸部４２８ｂに当接して、化粧キャップ４２６が外パイプ４２０の上下方向に位置決めされ、フランジ部４２６ａは略水平位置（外パイプ４２０に対し略直交する位置）となる。また円筒部４２６ｂの切欠き４２６ｂ２の周縁部は、ナット４２９と外パイプ４２０で挟まれた形態となっており、ナット４２９を回す（ナット４２９を締め付ける）と、化粧キャップ４２６の切欠き４２６ｂ２周縁部がナット４２９と外パイプ４２０で挟持されて、化粧キャップ４２６が外パイプ４２０に締結固定される。さらに、天井側ブラケット３００を外パイプ４２０に沿って下降させて、化粧キャップ４２６のフランジ部４２６ａに載せることで、ブラケット３００が化粧キャップ４２６で担持された状態となる（図１４（Ｂ）参照）。
【００６９】
最後に、ブラケット３００における円孔３４２から挿入したパイプ回り止め用固定ねじ４０２を、ねじ孔３６８（図７参照）に螺合貫通させて、図１４（Ｂ）仮想線に示すように、その先端部をパイプ４２０に圧接させることで、ブラケット３００をパイプ４２０（４００）に対し回り止めする。
【００７０】
また、パイプ回り止め用固定ねじ４０２を緩めて、ブラケット３００とパイプ４２０（４００）間の回り止めを解除することで、ブラケット３００を垂直軸Ｌｚ（図７参照）回りに回動させることができる。即ち、ブラケット３００の位置を周方向に調節できる。
【００７１】
また、ブラケット３００の上面壁３１０の枠体３６０の回りには、円孔３１４と同心円上に延びる長孔３１６が４個設けられており、これらの長孔３１６は、図８に示すように、コンクリート製の天井５００から垂下する４本のアンカーボルト５０２とそれぞれ係合できる。また、長孔３１６に係合したアンカーボルト５０２にナット５０４を螺合して締め付けると、ブラケット３００の前後の側面壁３４０Ｆ，３４０Ｂおよび枠体上端面３６２が天井面に圧接された状態に保持されて、ブラケット３００は天井５００に対しガタつくことなく固定保持される。
【００７２】
また、ナット５０４を緩めて、長孔３１６がボルト５０２に沿ってスライドできるようにすることで、ブラケット３００を円孔３１４の中心軸である垂直軸Ｌｚ回りに回動させることができる。即ち、ブラケット３００の位置を周方向に調整できる。
【００７３】
また、ブラケット３００の左右の側面壁３２０Ｌ，３２０Ｒには、締結ねじ配設用のねじ孔３２４の形成されたボルト挿通孔３２２が左右に対応してそれぞれ２個所設けられている。ねじ孔３２４は、ねじ挿通孔３２２位置に溶接固定されたウェルドナット３２３によって構成され、ブラケット前方側のねじ孔３２４（３２４ａ）には、ブラケット３００，２００間を締結するべく作用するとともに、フック掛止部を構成する第２の締結ねじ３２８を螺合させておく。また、ブラケット後方側のねじ孔３２４（３２４ｂ）には、ブラケット３００，２００間を締結するための第１の締結ねじ３２６が後に配設される。
【００７４】
また、プロジェクター側の第２ブラケット２００は、上方に延出する左右の側面壁２２０Ｌ，２２０Ｒを備えた矩形筒型の枠体構造で、この左右の側面壁２２０Ｌ，２２０Ｒは、天井側ブラケット３００の左右の側面壁３２０Ｌ，３２０Ｒの外側に重なった状態で係合できる大きさに形成されている。
【００７５】
また、左右の側面壁２２０Ｌ，２２０Ｒには、フックを構成する上方に開口するＪ字状の溝であるＪスロット２２２と、上下に延びる長孔２２４とが左右に対向して設けられている。Ｊスロット２２２の付根部２２２ａは、天井側ブラケット３００のねじ孔３２４ａと整合する位置に設けられており、一方、長孔２２４は、Ｊスロット２２２の付根部２２２ａを中心とする円弧２２３に沿って延びるとともに、ブラケット３００のねじ孔３２４ｂと整合する位置に設けられている。
【００７６】
そして、この第２ブラケット２００を手でもち、天井側ブラケット３００のねじ孔３２４ａに挿入された締結ねじ３２８位置にＪスロット２２２の入口２２２ｂを合わせ、締結ねじ３２８がＪスロット２２２内に侵入できるようにブラケット２００を動かして、締結ねじ３２８をＪスロットの付根部２２２ａに係合させた状態にすると、Ｊスロット付根部２２２ａが締結ねじ３２８に掛止されて、プロジェクター側第２ブラケット２００が天井側ブラケット３００に仮止めされた状態となる。
【００７７】
即ち、プロジェクター側第２ブラケット２００に設けられたフックであるＪスロット２２２と、天井側ブラケット３００にねじ孔３２４ａを介して固定されたフック掛止機構である締結ねじ３２８とによって、プロジェクター側ブラケット２００と天井側ブラケット３００とを仮固定するための仮止め機構が構成される。そして、仮止めされた位置を支点として、天井側ブラケット３００のねじ孔３２４ｂとプロジェクター側第２ブラケット２００の長孔２２４とを整合させることができるようになる。
【００７８】
そこで、第２ブラケット２００を図７において反時計まわりに回動し、長孔２２４をねじ孔３２４ｂに合わせ、締結ねじ３２６を長孔２２４からねじ孔３２４ｂに螺合させ、締結ねじ３２６，３２８を締めつければ、第２のブラケット２００を天井側ブラケット３００にねじ締結できる。また、締結ねじ３２６，３２８を緩めて、長孔２２４が締結ねじ３２６に沿ってスライドできるようにすることで、第２ブラケット２００を締結ねじ３２８（左右水平軸Ｌｘ）回りに傾動させることができる（図９参照）。
【００７９】
また、第２ブラケット２００の下方に延出する矩形筒状部２２５の前後の側面壁２２５Ｆ，２２５Ｂには、第１のブラケット１００をねじ締結する締結ねじ２２９ａ，２２９ｂを配設するためのねじ孔２２８の形成されたねじ挿通孔２２６ａ，２２６ｂが前後に対向して形成されている。これらのねじ孔２２８も、天井側ブラケット３００のねじ孔３２４と同様、ねじ挿通孔２２６ａ，２２６ｂ位置に溶接固定されたウェルドナット２２７によって構成されている。
【００８０】
プロジェクター側第１ブラケット１００は、左右一対のねじ挿通孔１１２，１２２が形成された前方水平延出部１１０および後方水平延出部１２０を備えた上方に突出する皿型の台形状枠体構造である。前方水平延出部１１０のねじ挿通孔１１２は、プロジェクター１（ロアーケース４）の底面壁４ａのボス１５０のねじ孔１５３Ａに対応し、後方水平延出部１２０のねじ挿通孔１２２は、フット部材５０取付用のねじ孔５３Ａに対応する位置にそれぞれ設けられている。そして、締結ねじ１１８，１２８を用いて、水平延出部１１０，１２０のねじ挿通孔１１２，１２２の周縁部をプロジェクター１側のボス１５０，ねじ孔５３Ａの周辺窪み４Ｄに締結固定できる。なお、後方水平延出部１２０の固定は、締結ねじ１２８に代えて、図３（Ｂ）に示すように、フット部材５０を用いることが可能である。
【００８１】
また、後方水平延出部１２０下面のねじ挿通孔１２２の周りには、後部脚３１（フット部材５０）の取り付けられるねじ孔５３Ａ周りに形成されている窪み４Ｄに当接して、第１ブラケット１００をプロジェクター１（ロアーケース４）の底面壁４ａと平行に保持するための円筒形状のボス１２４が突設されている。即ち、図１０に示すように、ロアーケース底面壁４ａの空気取入口２４周辺に設けられている立壁３８やボス１５０は、ロアーケース底面壁４ａの外側表面よりわずかに高く形成されており、一方、プロジェクター１後端側のねじ孔５３Ａ周りは、窪み４Ｄ相当だけロアーケース底面壁４ａの外側表面より奥まって形成されている。このため、ねじ締結されたブラケット１００とプロジェクター１間においては、後方水平延出部１２０とロアーケース底面壁４ａ間に隙が生じたり、ブラケット１００がロアーケース底面壁４ａと平行とならない等、ブラケット１００とプロジェクター１間の固定が不完全となるおそれがあるので、後端側のねじ締結部にボス１２４を介在させることで、ブラケット１００をプロジェクター１の背面側（ロアーケース底面壁４ａ）に確実に固定できるように構成されている。
【００８２】
また、このボス１２４には、第１ブラケット１００とロアーケース底面壁４ａ間に一定の隙を形成することで、プロジェクター１の底面に設けられている空気取入口２５への空気流入路を確保するという作用もある。
【００８３】
また、台形状枠体本体１３０の上には、前後の対向側面壁１４２Ｆ，１４２Ｂの形成された矩形枠部１４０が形成され、この前後の対向側面壁１４２Ｆ，１４２Ｂは、第２ブラケット２００の前後の対向側面壁２２５Ｆ，２２５Ｂの外側に重なった状態で係合できる大きさに形成されている。この対向側面壁１４２Ｆ，１４２Ｂには、締結ねじ２２９を配設するためのねじ挿通孔１４４ａ，１４４ｂが前後に対向して設けられ、これらのねじ挿通孔１４４ａ，１４４ｂは、第２ブラケット２００のねじ挿通孔２２６ａ，２２６ｂに対応している。そして、第１，第２のブラケット１００，２００のねじ挿通孔１４４ａ，１４４ｂ、２２６ａ，２２６ｂを合わせて、締結ねじ２２９ａ，２２９ｂを第２ブラケット２００のねじ孔２２８，２２８に螺合させれば、第２ブラケット２００と第１ブラケット１００をねじ締結することができる。
【００８４】
また、一方のねじ挿通孔１４４ａは、円孔で構成され、他方のねじ挿通孔１４４ｂは、円孔１４４ａを中心とする円弧１４５上に沿って延びる長孔で構成されており、締結ねじ２２９ａ，２２９ｂを緩めて、長孔１４４ｂが締結ねじ２２９ｂに沿ってスライドできるようにすることで、第１ブラケット１００を締結ねじ２２９ａ（前後水平軸Ｌｙ）回りに傾動させることができる（図７参照）。
【００８５】
なお、第１ブラケット１００の前部には、前方水平延出部１１０から皿型の台形状枠体本体１３０にかけて上方に膨らんだコ字型屈曲部１１４が形成されて、ブラケット１００の前方から台形状枠体本体１３０の内部に延びる連通路１１５が形成されている。また台形状枠体本体１３０の左右の側面壁１３２にも、開口部１３４が設けられて、枠体本体１３０の内部は、この開口部１３４を介しても外部に連通している。
【００８６】
即ち、第１ブラケット１００がプロジェクター１にねじ締結された場合に、コ字型屈曲部１１４は、図１０に示すように、プロジェクター１の空気取入口２４の真上に位置し、屈曲部１１４によって形成された連通路１１５によって、空気取入口２４への空気流路が確保されるようになっている。符号１２６は、後方水平延出部１２０から台形状枠体本体１３０にかけて設けられた前後に延びる補強用のチャンネル材である。
【００８７】
（４）天吊り装置７を用いたプロジェクター１の天井への直接固定
次に、本実施例に示す天吊り装置７を用いて、プロジェクター１を天井５００に直接取り付ける手順を説明する。
【００８８】
まず、図７，９に示すように、天井側ブラケット３００のねじ孔３２４ａに締結ねじ３２８を螺合させ、締結ねじ３２８が側面壁３２０Ｌ，３２０Ｒから突出した形態にする。次に、図８に示すように、天井５００から垂下されているアンカーボルト５０２を天井側ブラケット３００の長孔３１６に貫通させ、各ボルト５０２にナット５０４を螺合させることで、天井側ブラケット３００を天井５００に固定する。
【００８９】
次に、図９に示すように、第１ブラケット１００の前後の側面壁１４２Ｆ，１４２Ｂに第２のブラケット２００の前後の側面壁２２５Ｆ，２２５Ｂを係合させ、ねじ挿通孔１４４ａ，１４４ｂ、２２６ａ，２２６ｂ同士を位置合わせし、締結ねじ２２９ａ，２２９ｂをウェルドナット２２７（ねじ孔２２８）に螺合させることで、第１，第２のブラケット１００，２００をねじ締結してプロジェクター側ブラケットとして一体化する。
【００９０】
次に、プロジェクター１本体を逆さまにして、後部脚３１であるフット部材５０をねじ孔５３Ａから取り外す。次に、図９に示すように、逆さまにしたプロジェクター１本体上に、一体化したプロジェクター側ブラケット１００，２００を載せて、ねじ挿通孔１１２，２２２をプロジェクター側のねじ孔１５３Ａ，５３Ａに合わせ、締結ねじ１１８，１２８により第１ブラケット１００をプロジェクター１本体にねじ締結する。なお、締結ねじ１２８に代えて、フット部材５０を締結ねじとして用いることが可能である。そして、フット部材５０を、第１ブラケット１００をプロジェクター１に締結する締結ねじとして用いた場合には、締結ねじ１２８が不要となって、それだけプロジェクター天吊り装置を構成する部品点数が少なくて済む。
【００９１】
なお、前記説明では、予め一体化した第１，第２のブラケット１００，２００をプロジェクター１本体に固定するようになっているが、第１ブラケット１００をプロジェクター１本体にねじ締結により固定した後、第２ブラケット２００を第１ブラケット１００にねじ締結するようにしてもよい。
【００９２】
次に、ブラケット１００，２００を一体化したプロジェクター１本体を逆さまのまま持ち上げて、図１０に示すように、第１ブラケット１００のＪスロット２２２の入口２２２ｂを天井側ブラケット３００に配設された締結ねじ３２８の位置に合わせ、締結ねじ３２８がＪスロット２２２に沿って奥にスライドするように、プロジェクター１を上方に持ち上げかつ水平に動かして、Ｊスロット２２２の付根部２２２ａに締結ねじ３２８を係合させる。
【００９３】
これで、Ｊスロット２２２の付根部２２２ａが天井側ブラケット３００の締結ねじ３２８に係合した仮止め状態となり、プロジェクター１の重量がこの仮止め部で支持された形態となる。従って、この状態でプロジェクター１を支持している手を離しても、プロジェクター１はこの仮止め部を中心に揺動することはあっても、落下することはない。
【００９４】
次に、プロジェクター１の後端側（図１０右側）を持ち上げ、締結ねじ３２８回りに第１ブラケット１００（プロジェクター１）を回動させて、第１ブラケット１００の長孔２２４を天井側ブラケット３００のねじ孔３２４ｂに合わせ、締結ねじ３２６をねじ孔３２４ｂに螺合させる。最後に締結ねじ３２６，３６８を締め付けて、ブラケット３００，１００間を確実に締結する。
【００９５】
このように、本実施例では、プロジェクター側ブラケット１００（２００）のＪスロット２２２を天井側ブラケット３００に配設された締結ねじ３２８に係合させて、プロジェクター側ブラケット１００（２００）を天井側ブラケット３００に仮止めした後に、両ブラケット１００（２００），３００間のねじ締結作業を行うので、プロジェクター１を支える力が従来の約半分で済み、さらに、プロジェクター１を支える手が滑る等したとしても、プロジェクター１の重量はこの仮止め部で確実に支持されるため、プロジェクター１が落下する危険は全くない。
【００９６】
（５）投射画像の傾き及び位置の調整
次に、天吊り装置７を用いてプロジェクター１を天井に直接取り付けた後、投射画像の傾き及び位置を調整する方法について説明する。
【００９７】
（５）−１．傾きの調整方法
まず、天井側ブラケット３００が天井面に当たるようにプロジェクター１を天吊りした後、図１１（Ａ）に示すように、投射画面６０に対して投射画像６１が傾いている場合の調整方法について説明する。投射画像の傾きを調整する傾き調整機構は、図１１（Ｂ）に示すように、プロジェクター側第１ブラケット１００と第２ブラケット２００間に設けられた、二組の締結ねじ２２９ａ，２２９ｂと、第２ブラケット２００に設けられた一組の長孔１４４ｂとを含んで構成されている。（図７参照）
投射画像の傾きの調整は、次のような手順で行う。
【００９８】
まず、図１１（Ｂ）矢印で示すように、締結ねじ２２９ａ，２２９ｂを一旦緩める。次に、プロジェクター１（ブラケット１００）を上下に動かして、投射画像６１が水平になるようにする。最後に、この状態で、締結ねじ２２９ａ，２２９ｂを締め直す。
【００９９】
（５）−２．水平方向の位置調整方法
次に、天井側ブラケット３００が天井面に当たるようにプロジェクター１を天吊りした後、図１２（Ａ）に示すように、投射画面６０に対して投射画像６１の位置が水平方向、すなわち天井と平行な方向にずれている場合の位置調整方法について説明する。投射画像の水平方向の位置を調整する水平方向位置調整機構は、図１２（Ｂ）に示すように、天井側ブラケット３００に設けられた長孔３１６と、この長孔３１６に係合するアンカーボルト５０２と、このボルト５０２に螺着されたナット５０４とを含んで構成されている（図７，８参照）。
【０１００】
投射画像の水平方向の位置調整は、次のような手順で行う。
【０１０１】
まず、図１２（Ｂ）矢印で示すように、アンカーボルト５０２に螺合しているナット５０４（図８参照）を一旦緩める。次に、プロジェクター１（天井側ブラケット３００）を水平方向（図中矢印Ｘ方向）に回転させる。このとき、長孔３１６に係合しているアンカーボルト５０２が長孔３１６に沿って案内される（長孔３１６がアンカーボルト５０２に沿ってスライドする）。最後に、投射画像６１が所望の位置に配置された状態で、緩めたナット５０４を締め直す。
【０１０２】
（５）−３．垂直方向の位置調整方法
最後に、天井側ブラケット３００が天井面に当たるように、プロジェクター１を取り付けた後、図１３（Ａ）に示すように、投射画面６０に対して投射画像６１の位置が垂直方向、すなわち天井と垂直な方向にずれている場合の位置調整方法について説明する。投射画像の垂直方向の位置を調整する垂直方向位置調整機構は、図１３（Ｂ）に示すように、第２ブラケット２００に設けられた長孔２２４と、第２ブラケット２００を天井側ブラケット３００に締結する締結ねじ３２６、３２８とを含んで構成されている（図７参照）。
【０１０３】
投射画像の垂直方向の位置調整は、次のような手順で行う。
【０１０４】
まず、図１３（Ｂ）矢印で示すように、締結ねじ３２６、３２８を一旦緩める。そして、プロジェクター１（ブラケット２００）を垂直方向（図中矢印Ｙ方向）に回転させる。このとき、締結ねじ３２８が支点となり、長孔２２４に沿って締結ねじ３２６が案内される。最後に、投射画像６１が所望の位置に配置された状態で、緩めた締結ねじ３２６，３２８を締め直す。
【０１０５】
（６）プロジェクター１の吊り下げ固定用パイプ４００への取り付けと投射画像の傾き及び位置の調整
次に、天吊り装置７が天井に直接当接するようにプロジェクター１を天吊りするのではなく、天井から垂下された吊り下げ固定パイプ４００に天吊り装置７を用いてプロジェクター１を取り付ける場合について説明する。
【０１０６】
まず、天井に固定された吊り下げ固定用パイプ４００の内外パイプ（４１０，４２０）の軸方向の位置を調節して、パイプ４００の長さを適正にする。次に、図１６（Ａ），（Ｂ），（Ｃ）に示すように、外パイプ４２０の下端部に、第２の締結ねじ３２８を配設した天井側ブラケット３００を組み付け、この天井側ブラケット３００を化粧キャップ４２６で担持し、かつパイプ回り止め用固定ねじ４０２によって、ブラケット３００がパイプ４００に対し回り止めされた形態にする。
【０１０７】
次に、天井に直接固定した天井側ブラケット３００にプロジェクター側ブラケット２００を仮止めしかつねじ締結する場合と同様の手順で、ブラケット１００，２００を一体化したプロジェクター１本体を持ち上げ、ブラケット２００のＪスロット２２２をブラケット３００の締結ねじ３２８に係合させて仮止めし、次いで、締結ねじ３２６，３２８を締めつけることでブラケット３００，２００間をねじ締結する。
【０１０８】
（６）−１．傾きの調整方法
まず、プロジェクター１を吊り下げ固定パイプ４００を介して天吊りした後、投射画面６０に対して投射画像６１が傾いている場合には、図１１（Ｂ）矢印で示すように、締結ねじ２２９ａ，２２９ｂを一旦緩める。次に、プロジェクター１（ブラケット１００）を上下に動かして、投射画像６１が水平になるようにする。最後に、この状態で、締結ねじ２２９ａ，２２９ｂを締め直す。これは、天吊り装置７を天井に当たるようにして取り付ける場合における調整と全く同一である。
【０１０９】
（６）−２．水平方向の位置調整方法
次に、プロジェクター１を吊り下げ固定パイプ４００を介して天吊りした後、図１７（Ａ）に示すように、投射画面６０に対して投射画像６１の位置が水平方向、すなわち天井と平行な方向にずれている場合の位置調整方法について説明する。
【０１１０】
投射画像の水平方向の位置を調整する水平方向位置調整機構は、図１７（Ｂ）に示すように、天井側ブラケット３００に設けられた円孔３６４，３１４と、天井側ブラケット３００に配設されたパイプ回り止め用固定ねじ４０２とを備えて構成されている。
【０１１１】
そして、この調整機構による投射画像の水平方向の位置調整は、次のような手順で行う。
【０１１２】
まず、図１７（Ｂ）矢印で示すように、パイプ回り止め用固定ねじ４０２を一旦緩める。次に、プロジェクター１（天井側ブラケット３００）を吊り下げ固定用パイプ４００の周りに水平方向（図中矢印Ｘ方向）に回転させる。最後に、投射画像６１が所望の位置に配置された状態で、緩めた固定ねじ４０２を締め直す。
【０１１３】
（６）−３．垂直方向の位置調整方法
最後に、プロジェクター１を吊り下げ固定用パイプ４００を介して天吊りした後、図１８（Ａ）に示すように、投射画面６０に対して投射画像６１の位置が垂直方向、すなわち天井と垂直な方向にずれている場合の位置調整方法について説明する。
【０１１４】
投射画像の垂直方向の位置を調整する垂直方向位置調整機構は、前記した様に、第２ブラケット２００に設けられた長孔２２４と、第２ブラケット２００を天井側ブラケット３００に締結する締結ねじ３２６、３２８とを含む第１の調整機構（図１３参照）によって構成されていることは勿論であるが、図１８（Ｂ）に示すように、内外パイプ４１０，４２０と、ボルト挿通孔４１４，４２４と、ボルト挿通孔４１４，４２４に配設するパイプ固定ボルト４３０と、このボルト４３０に螺合するナット４３２を備えた第２の調整機構によっても構成されている。
【０１１５】
そして、第２の調整機構による投射画像の垂直方向の位置調整は、次のような手順で行う。
【０１１６】
まず、図１８（Ｂ）に示すように、パイプ固定ボルト４３０を取り外して、プロジェクター１本体を下方から支える。プロジェクター１本体上には、ブラケット１００，２００，３００および外パイプ４２０が一体化されている。次に、外パイプ４２０が内パイプ４１０に沿って上下するように、プロジェクター１を上方または下方に移動させる。そして、投射画像６１が所望の位置に配置された状態で、位置合わせした内外パイプ４１０，４２０のボルト挿通孔４１４，４２４に固定ボルト４３０を挿通し、両パイプ４１０，４２０をボルトナット締結する。その後、必要に応じて、第１の調整機構（図１３参照）を使って投射画像の垂直方向の微調整を行う。
【０１１７】
（７）その他
本発明のプロジェクター天吊り装置の構造は、上述した実施形態に限られるものではない。例えば、上述した実施形態を以下のように変形することも可能である。
【０１１８】
上述した実施形態では、プロジェクター１を逆さまにして吊り下げるようになっているが、プロジェクター１の上面側に、プロジェクター側ブラケットを固定するためのねじ孔を設けた場合には、逆さまではなく、そのままの形態で吊り下げればよい。
【０１１９】
また、上述した実施形態では、プロジェクター側ブラケット１００，２００をそれぞれ別々の部材としているが、一体化しても良い。
【０１２０】
また、上述した実施形態では、各ブラケット２００，３００に溶接したナット２２７，３２３のねじ孔２２８，３２４にそれぞれの締結ねじ２２９ａ，２２９ｂ、３２６，３２８を螺合させるように構成しているが、ナット２２７，３２３を設けることなく、ブラケット２００，３００に直接ねじ孔２２８，３２４を設けるようにしてもよい。また、ブラケット２００，３００に溶接されていない通常のナットを用いてもよい。
【０１２１】
また、上述した実施形態では、プロジェクター側ブラケット２００に設けられたフックがＪスロット２２２により構成されているが、上方に突出する鈎型フックによって構成してもよい。また、天井側ブラケット３００に形成したフック掛止部が締結ねじ３２８によって構成されているが、フックを掛け止めできて、仮止め可能なものであれば、いかなるものでもよい。
【０１２２】
また、上述した実施形態では、プロジェクター側ブラケット２００にフックが設けられ、天井側ブラケット３００にフック掛止部が設けられた構造であるが、プロジェクター側ブラケット２００にフック掛止部が設けられ、天井側ブラケット３００にフックが設けられた構造であっても良い。
【０１２３】
また、上述した実施形態では、プロジェクター１のロアーケース底面壁４ａに通気口である空気取入口２４が設けられているが、この空気取入口２４は空気排出口であってもよく、プロジェクター側ブラケット１００がこの通気口と接しない形状に形成されていればよい。
【０１２４】
また、上述した実施形態では、天井側ブラケット３００は天井に直接固定される外、プロジェクター吊り下げ固定用パイプ４００に連結固定できる構造となっているが、パイプ４００への連結固定手段は必ずしも必要ではない。
【０１２５】
また、上述した実施形態では、液晶プロジェクターを吊り下げる場合について説明しているが、液晶プロジェクター以外のプロジェクター全般の吊り下げにも広く適用できる。
【図面の簡単な説明】
【図１】  本発明の一実施例である天吊り装置を使って天吊り状態とされる液晶プロジェクターの斜視図。
【図２】  同液晶プロジェクターを底面側から見た斜視図。
【図３】  同液晶プロジェクターの脚部周辺の拡大断面図。
【図４】  同脚部の斜視図。
【図５】  同脚部の側面図。
【図６】  プロジェクター底面に設けられたプロジェクター側ブラケット固定用締結ねじ配設用のねじ孔周辺の拡大断面図。
【図７】  プロジェクター天吊り装置の分解斜視図。
【図８】  天井側ブラケットを天井に直接取り付けた状態の断面図。
【図９】  プロジェクター天吊り装置を使ってプロジェクターを天井に吊り下げる手順を説明する斜視図。
【図１０】  プロジェクター側ブラケットを固定一体化したプロジェクターを持ち上げて、プロジェクター側ブラケットのＪスロットを天井に固定した天井側ブラケットの第２の締結ねじに係合させる様子を説明する図。
【図１１】  投射画像の傾きを調整する方法を説明する図。
【図１２】  投射画像の水平方向の位置を調整する方法を説明する図。
【図１３】  投射画像の垂直方向の位置を調整する方法を説明する図。
【図１４】  （Ａ）プロジェクター吊り下げ固定用パイプの斜視図。
（Ｂ）天井側ブラケットをプロジェクター吊り下げ固定用パイプに取り付ける化粧キャップの縦断面図。
【図１５】  同パイプの分解斜視図。
【図１６】  同パイプに天井側ブラケットを取り付ける様子を説明する斜視図。
【図１７】  投射画像の水平方向の位置を調整する他の方法を説明する図。
【図１８】  投射画像の垂直方向の位置を調整する他の方法を説明する図。
【符号の説明】
１  液晶プロジェクター
２  外装ケース
３  アッパーケース
３ａ  上面壁
３ｂ、３ｃ  側面壁
３ｄ  前面壁
４  ロアーケース
４Ａ  脚挿入部
４ａ  底面壁
４ｂ、４ｃ  側面壁
４ｄ  前面壁
６  投射レンズ
７  プロジェクター天吊り装置
２３  エアーフィルタカバー
２４  空気取入口
２５  空気取入口
２７  ランプ交換蓋
３１  後部脚
５０  フット部材
５３  ナット
５３Ａ  ねじ孔
６０  投射画面
６１  投射画像
１００  プロジェクター側第１ブラケット
１１８，１２８  プロジェクター側ブラケットをプロジェクターに締結する締結ねじ
１４４ａ，１４４ｂ，２２４，３１６  長孔
１４５，２２３  円弧
１５０  ボス
１５３  ナット
１５３Ａ  ねじ孔
２００  プロジェクター側第２ブラケット
２２２  フックであるＪスロット
２２２ａ  Ｊスロットの付根部
２２２ｂ  Ｊスロットの入口
２２７、３２３、３６７  ウェルドナット
２２８、３２４ａ，３２４ｂ、３６８  ねじ孔
２２９ａ，２２９ｂ  プロジェクター側第１ブラケットと第２ブラケットを締結する締結ねじ
３００  天井側ブラケット
３１４，３６４  天井側ブラケットに設けた円孔
３２６  プロジェクター側第２ブラケットと天井側ブラケットを締結する第１の締結ねじ
３２８  プロジェクター側第２ブラケットと天井側ブラケットを締結しかつフック掛止機構として機能する第２の締結ねじ
４００  プロジェクター吊り下げ固定用パイプ
４０２  パイプ回り止め用固定ねじ
４１０  内パイプ
４２０  外パイプ
４２６  化粧キャップ
４３０  パイプ固定ボルト
５００  天井
５０２  アンカーボルト
５０４  アンカーボルトに螺合するナット
【図１】
0003772555.tif 000002
【図２】
0003772555.tif 000003
【図３】
0003772555.tif 000004
【図４】
0003772555.tif 000005
【図５】
0003772555.tif 000006
【図６】
0003772555.tif 000007
【図７】
0003772555.tif 000008
【図８】
0003772555.tif 000009
【図９】
0003772555.tif 000010
【図１０】
0003772555.tif 000011
【図１１】
0003772555.tif 000012
【図１２】
0003772555.tif 000013
【図１３】
0003772555.tif 000014
【図１４】
0003772555.tif 000015
【図１５】
0003772555.tif 000016
【図１６】
0003772555.tif 000017
【図１７】
0003772555.tif 000018
【図１８】
0003772555.tif 000019